(57)【特許請求の範囲】
【請求項１】
利用可能な駐車場を紹介する既存のデータベースを指定する現駐車場指定手段と、
前記現駐車場指定手段により指定されたデータベースから、地番、面積、料金および管理者情報を抽出して、現駐車場データを生成し、各現駐車場データに、それぞれを識別する識別情報と最新更新時とを示す情報を付加して、現駐車場データリストを生成し、この現駐車場データリストの属性情報として、前記指定されたデータベースと、探索済み地域とを付加する処理を、指定されたタイミングで実行する現駐車場データ生成手段と、
既存の電子化された地図データベースを指定する電子化地図指定手段と、
前記電子化地図指定手段により指定されたデータベースから、駐車スペースに相当する以上の面積の空き地を検出して、地番および面積を抽出して空き地データを生成し、各空き地データに、それぞれを識別する識別情報と最新更新時とを付加して、空き地データリストを生成し、この空き地データリストの属性情報として、前記指定されたデータベースと、探索済み地域とを付加する処理を、指定されたタイミングで実行する空き地データ生成手段と、
既存の建物又は土地の用途を記録したデータベースを指定する用途地図指定手段と、
前記空き地データリストに含まれた空き地データの地番をキーにして、前記用途地図指定手段により指定されたデータベースを検索し、該当する地番の用途情報を読み出して、駐車スペースとして適さない用途の空き地と判定したときに、該当する空き地データを前記空き地データリストから削除するデータ判定手段と、
前記データ判定手段による処理後に、前記現駐車場データリストに前記空き地データリストを追加して、空き地データと現駐車場データの地番が一致した場合には、両者のデータを併合して、各データを識別する識別情報と、地番、面積、料金、管理者情報を含む候補地データを生成し、各候補地データに、最新更新時と、現駐車場データとそれ以外のデータを区別する識別記号とを付加して、候補地データベースを生成する最適化手段を備えたことを特徴とするデータベース生成システム。
【請求項２】
請求項１に記載のデータベース生成システムにおいて、
前記候補地データに実際の調査で得られた実調査データと実調査時とを付加する処理を実行するとともに、
前記候補地データベースに含まれたいずれかの候補地データを、前記最適化手段が生成した新たな候補地データに置き換える処理を、前記実調査データと前記実調査時を書き換えることなく実行する候補地データベース更新手段を備えたことを特徴とする駐車スペース探索のためのデータベース生成システム。
【請求項３】
請求項２に記載のデータベース生成システムにおいて、
前記各候補地データに含まれた識別記号は、現駐車場データとそれ以外のデータと、前記実調査データが含まれたものとを区別するように構成されていることを特徴とするデータベース生成システム。
【請求項４】
請求項１乃至３のいずれかに記載のデータベース生成システムにおいて、
建設工事現場の地番の入力を受付けて、
前記地番から、予め設定された一定の距離以下の地域を選択して、
該当する地域に含まれる地番を有する候補地データを抽出して、前記識別記号を含めて出力する検索手段を備えたことを特徴とするデータベース生成システム。
【請求項５】
請求項１乃至４のいずれかに記載のデータベース生成システムにおいて、
対象地域の指定を受け付け、
駐車スペース設定可能距離Ｋの指定を受け付け、
前記候補地データベースから、該当する候補地データを抽出し、
前記対象地域の電子化地図データ上で、
抽出された各候補地データの地番を１箇所ずつ選択し、
該当する箇所を中心に半径Ｋの円を描画し、
前記円内を所定のパタンで塗り潰し、
別の塗りつぶし済みの円と重なる部分は、さらに濃いパタンで塗り潰し、
抽出された全ての候補地データについて、同様の処理を実行するガイドマップ生成手段を備えたことを特徴とするデータベース生成システム。
【請求項６】
請求項２乃至５のいずれかに記載のデータベース生成システムにおいて、
候補地データベースに候補地データを追加しもしくは候補地データの更新をする処理を実行する候補地データ入力手段が設けられ、
この候補地データ入力手段は、候補地データの提供を受けた協力者の入力を受け付けて、協力者リストを生成して、記憶装置に記憶することを特徴とするデータベース生成システム。
【請求項７】
コンピュータを、請求項１乃至５のいずれかに記載のデータベース生成システムとして機能させるデータベース生成プログラム。
【請求項８】
請求項７に記載のデータベース生成プログラムを記録したコンピュータで読み取り可能な記録媒体。
【発明の詳細な説明】
【技術分野】
【０００１】
本発明は、建設工事に必要な駐車スペースを見つけるために使用する駐車スペース探索のためのデータベース生成システムに関する。
【背景技術】
【０００２】
建物を新築したり改修したりする建設業は、現場に資材を搬入するためにトラック等の運搬用車両を多用する。運搬用車両を建設現場に長時間待機させることも少なくない。都会では、建設現場自体に駐車スペースが十分無いことも多いから、建設工事を開始する前に、駐車スペースを確保しなければならない。そのために地図情報を整備し、あるいは駐車場用の空き地情報を提供するデータベースも開発されている（特許文献１）（特許文献２）。
【先行技術文献】
【特許文献】
【０００３】
【特許文献１】特開２００３−５０８０３号公報
【特許文献１】特開２００２−１４９７８１号公報
【発明の概要】
【発明が解決しようとする課題】
【０００４】
既知の従来の技術には、次のような解決すべき課題があった。
建設現場近隣の既存の有料駐車場を必要なだけ確保するのは必ずしも容易でない。駐車スペースを、既存の駐車場や関連施設のみから探そうとすると、建設現場に近い場所が見つからなかったり、広さが十分でなかったりすることも多い。建設現場が決まってから建設工事を開始するまでの短期間に最適な場所を見つけることが難しい。
【０００５】
上記の課題を解決するために、本発明により、建設現場が決まった後、建設工事開始までに、すみやかに駐車スペースを確保するための作業を支援する駐車スペース探索用システムを構築する。このシステムの要求に応える新たなデータベースを一気に構築するのは容易でないから、本発明は、効率よく最適化が可能なデータベース生成システムを提供する。
【課題を解決するための手段】
【０００６】
以下の構成はそれぞれ上記の課題を解決するための手段である。
〈構成１〉
利用可能な駐車場を紹介する既存のデータベースを指定する現駐車場指定手段と、前記現駐車場指定手段により指定されたデータベースから、地番、面積、料金および管理者情報を抽出して、現駐車場データを生成し、各現駐車場データに、それぞれを識別する識別情報と最新更新時とを示す情報を付加して、現駐車場データリストを生成し、この現駐車場データリストの属性情報として、前記指定されたデータベースと、探索済み地域とを付加する処理を、指定されたタイミングで実行する現駐車場データ生成手段と、既存の電子化された地図データベースを指定する電子化地図指定手段と、前記電子化地図指定手段により指定されたデータベースから、駐車スペースに相当する以上の面積の空き地を検出して、地番および面積を抽出して空き地データを生成し、各空き地データに、それぞれを識別する識別情報と最新更新時とを付加して、空き地データリストを生成し、この空き地データリストの属性情報として、前記指定されたデータベースと、探索済み地域とを付加する処理を、指定されたタイミングで実行する空き地データ生成手段と、既存の建物や土地の用途を記録したデータベースを指定する用途地図指定手段と、前記空き地データリストに含まれた空き地データの地番をキーにして、前記用途地図指定手段により指定されたデータベースを検索し、該当する地番の用途情報を読み出して、駐車スペースとして適さない用途の空き地と判定したときに、該当する空き地データを前記空き地データリストから削除するデータ判定手段と、前記データ判定手段による処理後に、前記現駐車場データリストに前記空き地データリストを追加して、空き地データと現駐車場データの地番が一致した場合には、両者のデータを併合して、各データを識別する識別情報と、地番、面積、料金、管理者情報を含む候補地データを生成し、各候補地データに、最新更新時と、現駐車場データとそれ以外のデータを区別する識別記号とを付加して、候補地データベースを生成する最適化手段を備えたことを特徴とするデータベース生成システム。
【０００７】
〈構成２〉
構成１に記載のデータベース生成システムにおいて、前記候補地データに実際の調査で得られた実調査データと実調査時とを付加する処理を実行するとともに、前記候補地データベースに含まれたいずれかの候補地データを、前記最適化手段が生成した新たな候補地データに置き換える処理を、前記実調査データと前記実調査時を書き換えることなく実行する候補地データベース更新手段を備えたことを特徴とする駐車スペース探索のためのデータベース生成システム。
【０００８】
〈構成３〉
構成２に記載のデータベース生成システムにおいて、前記各候補地データに含まれた識別記号は、現駐車場データとそれ以外のデータと、前記実調査データが含まれたものとを区別するように構成されていることを特徴とするデータベース生成システム。
【０００９】
〈構成４〉
構成１乃至３のいずれかに記載のデータベース生成システムにおいて、建設工事現場の地番の入力を受付けて、前記地番から、予め設定された一定の距離以下の地域を選択して、該当する地域に含まれる地番を有する候補地データを抽出して、前記識別記号を含めて出力する検索手段を備えたことを特徴とするデータベース生成システム。
【００１０】
〈構成５〉
構成１乃至４のいずれかに記載のデータベース生成システムにおいて、対象地域の指定を受け付け、駐車スペース設定可能距離Ｋの指定を受け付け、前記候補地データベースから、該当する候補地データを抽出し、前記対象地域の電子化地図データ上で、抽出された各候補地データの地番を１箇所ずつ選択し、該当する箇所を中心に半径Ｋの円を描画し、前記円内を所定のパタンで塗り潰し、別の塗りつぶし済みの円と重なる部分は、さらに濃いパタンで塗り潰し、抽出された全ての候補地データについて、同様の処理を実行するガイドマップ生成手段を備えたことを特徴とするデータベース生成システム。
【００１１】
〈構成６〉
構成２乃至５のいずれかに記載のデータベース生成システムにおいて、候補地データベースに候補地データを追加しもしくは候補地データの更新をする処理を実行する候補地データ入力手段が設けられ、この候補地データ入力手段は、候補地データの提供を受けた協力者の入力を受け付けて、協力者リストを生成して、記憶装置に記憶することを特徴とするデータベース生成システム。
【００１２】
〈構成７〉
コンピュータを、構成１乃至５のいずれかに記載のデータベース生成システムとして機能させるデータベース生成プログラム。
【００１３】
〈構成８〉
構成７に記載のデータベース生成プログラムを記録したコンピュータで読み取り可能な記録媒体。
【発明の効果】
【００１４】
〈構成１の効果〉
既存のデータベースを利用して現存する利用可能な駐車場だけでなく、駐車スペースとして利用可能性のあるものを含む候補地データベースを自動的に生成するので、工事現場の近隣の駐車スペースを示す情報を広く収集して、現地での交渉を開始することができる。
〈構成２の効果〉
候補地データベースに、実際の調査結果を含めて最適化できる。最適化手段による候補地データベースの自動更新を可能にし、実調査データと実調査時とは、自動的に更新されないようにして保護することができる。最適化により有料データベースとして提供することも可能になる。
〈構成３の効果〉
それぞれデータの信頼性や完成度が異なるので、自動的に区別をして、例えば、検索結果の出力順等に反映させることができる。
〈構成４の効果〉
建設工事現場から一定の距離の範囲内にある駐車スペースの候補地を全て自動的に抽出できる。識別情報を参照すれば、駐車スペースとして借り入れ可能なものから優先的に交渉をすることができる。
〈構成５の効果〉
駐車スペースの多い地域と少ない地域を地図で一目瞭然に一覧できる。
〈構成６の効果〉
候補地データベースの生成や最適化に協力した建設工事の依頼主等を、候補地データベースとは別に記録しておき、謝意表示等の処理に利用できる。
【図面の簡単な説明】
【００１５】
【図１】実施例１のデータベース生成システムを示すブロック図である。
【図２】サーバの構成を示すブロック図である。
【図３】システムを操作する画面の説明図である。
【図４】データ構造の説明図である。
【図５】空き地データ生成手段の動作説明図である。
【図６】実調査データの内容説明図である。
【図７】候補地データベースの検索処理動作説明図である。
【図８】ガイドマップの一例を示す説明図である。
【図９】データリスト生成処理の動作フローチャートである。
【図１０】空き地データリストの生成処理動作フローチャートである。
【図１１】候補地データベースの生成処理動作フローチャートである。
【図１２】データベース検索処理動作のフローチャートである。
【図１３】ガイドマップの生成処理動作フローチャートである。
【図１４】候補地データ入力画面の説明図である。
【発明を実施するための形態】
【００１６】
以下、本発明の実施の形態を実施例毎に詳細に説明する。
【実施例１】
【００１７】
図１は実施例１のデータベース生成システムを示すブロック図である。
図のデータベース生成システム１０は、ネットワーク１１に接続されたサーバ９０により実現する。サーバ９０はウェブサイト１３の指定されたデータベースにアクセスして、必要なデータを抽出する。端末装置７７はサーバ９０を利用して駐車スペースを検索する利用者のコンピュータである。
【００１８】
建設工事のための駐車スペースは、数ヶ月間というオーダーで確保しなければならない。借用する期間、面積、駐車料金、建設現場からの距離等についての、要求される条件を満たす駐車スペースを見つけなければならない。経験上、広告やウェブサイトに掲載されている有料駐車場だけでは十分でない。
【００１９】
有料駐車場として貸し出されている場所以外で、公共用地、個人所有の土地、コンビニエンスストアやスーパーマーケットの駐車場等も、借用可能性が皆無ではない。
【００２０】
駐車スペースとして使用可能な全ての施設や土地をリストアップして、要求される条件を満たすかどうかを調査して管理者と交渉を開始することが好ましい。このような要求を満たすデータベースは現存しないし、ただちに整備するのは容易でない。
【００２１】
本発明では、望ましいデータベースを生成するための基礎になるデータリスト２０や５２を自動的に生成する、サーバ９０には現駐車場データリスト２０を生成する現駐車場データ生成手段１４と、空き地データリスト５２を生成する空き地データ生成手段４８と、空き地データリスト５２から駐車スペースに適さないデータを除外するデータ判定手段５６と、現駐車場データ生成手段１４と空き地データリスト５２を併合して候補地データベース６４を生成する最適化手段６２とが設けられている。
【００２２】
候補地データベース６４を利用者が実際に使用するときには、検索手段７８が、該当する工事現場の近隣の駐車スペースを検索して検索出力７９を得る。利用者は、検索された候補地データ６６を利用して、駐車スペースを確保するための交渉をする。その結果得られた候補地データ６６毎の調査結果（実調査データ７４と表示）を、候補地データベース６４等に追加できる。
【００２３】
候補地データベース６４は、繰り返し利用されるにつれて整備され、信頼度が向上する。また、候補地データベース更新手段７２は、指定されたタイミングで最適化手段６２が新たに生成したデータリストを受け入れて、候補地データベース６４を自動的に更新する。この候補地データベース６４を使用して、ガイドマップ生成手段８０は、近隣に駐車スペースを確保し易い地域を一覧できるガイドマップ８５を生成することができる。
【００２４】
図２は、サーバ９０の構成を示すブロック図である。
サーバ９０の記憶装置９２には、探索データベースリスト１７と更新スケジュール１９と現駐車場データリスト２０と空き地データリスト５２と除外用途リスト６０と候補地データベース６４とが記憶されている。これらのデータ構造の説明は図４で行う。
【００２５】
サーバの演算処理装置９４は、インストールされたコンピュータプログラムにより、現駐車場データ生成手段１４と駐車場データベース指定手段１６と更新タイミング指定手段１８と空き地データ生成手段４８と地図データ指定手段５０とデータ判定手段５６と用途記録データベース指定手段５８と最適化手段６２と候補地データベース更新手段７２として機能し、候補地データベース６４を生成する。また、候補地データベース６４を利用するために、検索手段７８とガイドマップ生成手段８０と対象地域指定手段８２として機能する。
【００２６】
図３は、システムを操作する画面の説明図である。
この操作画面１２により、現駐車場データ生成手段１４と空き地データ生成手段４８とデータ判定手段５６の動作条件を設定する。駐車場データベース指定手段１６は、現駐車場データ生成手段１４がアクセスするデータベースを指定するためのもので、図のドロップダウンリストには、指定するデータベースとそのＵＲＬが表示されている。
【００２７】
地図データ指定手段５０は、空き地データ生成手段４８がアクセスするデータベースを指定するためのものである。用途記録データベース指定手段５８は、データ判定手段５６がアクセスするデータベースを指定するためのものである。ドロップダウンリストの構造はいずれも現駐車場データ生成手段１４のそれと同様である。また、こうして指定されたデータベースのリストが、記憶装置９２（図２）の探索データベースリスト１７にまとめて記憶される。
【００２８】
更新タイミング指定手段１８は、候補地データベース６４を更新するスケジュールを指定するためのものである。例えば、毎月とか６月毎とか、適切な間隔でデータベースを更新するように指定する。このデータは記憶装置９２（図２）の更新スケジュール１９に記憶される。また、空き地でも、駐車スペースに適さない用途については、この操作画面１２で確認し、適宜追加や削除ができるように、除外用途リスト６０が表示されている。指定内容を確認後に決定ボタン６１をクリックすると、その後は自動的にデータベースの更新が行われる。
【００２９】
図４は、データ構造の説明図である。
この図を用いて、図２に示した各手段の動作と生成されるデータの構造を説明する。まず、図３で説明したように、駐車場データベース指定手段１６が、利用可能な駐車場を紹介する既存のデータベースを指定した。現駐車場データ生成手段１４（図２）は、更新スケジュール１９で指定されたタイミングで、探索データベースリスト１７を参照して、現駐車場データリスト２０を生成する。これにより、現駐車場データ生成手段１４は、工事用車両の駐車に利用できるであろうとされる有料駐車場を可能な限り漏れなく抽出する。
【００３０】
図４において、現駐車場データ生成手段１４は、抽出した駐車場の、識別情報２２と名称２４と地番２６と面積２８と料金３０および管理者情報３２を現駐車場データに含める。識別情報２２は、各現駐車場データを識別するためのものである。地番２６と面積２８と料金３０および管理者情報３２は、駐車場借用のための交渉に必須の情報である。
【００３１】
さらに、定期的な更新状態を確認するために、最新更新時３４を示す情報を付加する。この構成の現駐車場データを集合して、現駐車場データリスト２０を生成する。また、現駐車場データリスト２０の属性情報３８として、指定された探索データベース４０と、探索済み地域４２と探索済み期間４４とを付加する。探索データベースの確認と更新の便宜のためである。
【００３２】
図５は空き地データ生成手段の動作説明図である。
図４と図５を参照しながら説明する。図３の操作画面１２により、地図データ指定手段５０は、既存の電子化された地図データベース４６を指定する。有料で利用できるものがあるから、それを利用すればよい。空き地データ生成手段４８は、有料貸し出しを目的とした駐車場以外に、駐車スペースとして利用可能な場所を自動的に抽出する機能を持つ。
【００３３】
例えば、図５に示した航空写真のような地図データから、空き地に相当する部分を抽出する。それには、地図データから、建物５４や道路５５を除外した空き地５３を検出する。空き地５３に相当する部分が他の部分と異なる色で着色されている地図データを利用すれば、空き地５３の部分は簡単に抽出できる。また、道路５５に囲まれた閉ループから建物５４を示す閉ループを除外するような処理でも、空き地５３の部分を抽出できる。
【００３４】
その空き地５３の部分と、駐車スペースとして利用可能な最小サイズの枠５１とを比較して、この枠より広い空き地５３を全て抽出する。この段階では、空き地かどうか不明でも構わない。例えば、学校の運動場や私企業の駐車場等や公園等も全て抽出してしまって構わない。これにより空き地データリスト５２を生成する。
【００３５】
検出した空き地５３の地番２６および面積２８を抽出して、空き地データを生成する。空き地データ生成手段４８は、図４に示すように、各空き地データに、それぞれを識別する識別情報２２と最新更新時３４とを付加して、空き地データリスト５２を生成する。この空き地データリスト５２の属性情報３８として、現駐車場データリスト２０と同様に、指定されたデータベースと、探索済み地域４２と探索済み期間とを付加する。
【００３６】
図１に示したデータ判定手段５６は、空き地データリスト５２から、明らかに駐車スペースとして適さないデータを削除する機能を持つ。用途記録データベース指定手段５８は、既存の建物や土地の用途を記録したデータベースを指定した。このデータベースは、役所等に整備されている。データ判定手段５６は、空き地データリスト５２から空き地データを順番に全て読み出す。そして、空き地データに含まれた地番２６をキーにして、指定されたデータベースを検索し、該当する地番２６の用途情報を読み出す。
【００３７】
その後、データ判定手段５６は、記憶装置９２に記憶された除外用途リスト６０を参照して、読み出された用途情報が除外用途リスト６０にリストされた用途と一致したときは、駐車スペース８７として適さない用途の空き地と判定する。そして、該当する空き地データを空き地データリスト５２から削除する。
【００３８】
駐車スペースの確保に苦慮するのは、住宅その他の建物が密集する市街地である。市街地の場合には、それぞれの土地の建物の形状や空き地の所在が比較的明確になっている。また、空き地として検出される場所の用途もほとんど明確になっている。
【００３９】
従って、用途が明確になっていて、駐車スペースとして適さない場所を除外すると、市街地ではノイズが多すぎるという結果にはならない。例えば、個人の駐車場でも、余裕がある場合がある。ビル等の建設予定地であっても、更地の状態の場所もある。これが空き地データリストに残ることになる。農地や山林等の空き地を大量に抽出してしまうような地域については、こうしたデータベースを生成する必要性はないといえる。
【００４０】
以上の処理の後、図４に示した現駐車場データリスト２０と空き地データリスト５２とを併合して候補地データベース６４を生成する。最適化手段６２は、各候補地データ６６に、現駐車場データリスト２０や空き地データリスト５２と同様に、識別情報２２、名称２４、地番２６、面積２８、管理者情報３２最新更新時３４を含めて、候補地データベース６４を生成する。
【００４１】
最適化手段６２は、現駐車場データリスト２０に空き地データリスト５２を追加する処理を実行するが、空き地データと現駐車場データの地番２６が一致した場合には、両者のデータを併合する。有料駐車場と重複する部分は最適化手段６２が調整するから、残りの空き地は、交渉すれば駐車スペースとして借用できるかもしれない場所になる。
【００４２】
有料駐車場があれば優先的に交渉をすすめたいので、現駐車場データとそれ以外のデータを区別する識別記号７３を付加する。そして、工事現場の近くにどうしても有料駐車場を確保できないときには、その他の空き地を交渉の対象に含めることができる。
【００４３】
以上のシステムは、既存のデータベースを利用して現存する利用可能な駐車場だけでなく、駐車スペース８７として利用可能性のあるものを含む候補地データベース６４を自動的に生成するので、工事現場の近隣の駐車スペース８７を示す情報を広く収集して、現地での交渉をすみやかに開始することができる。
【実施例２】
【００４４】
図６は実調査データの内容説明図である。
上記の候補地データベース６４をそのまま利用すると、空き地データに相当する部分に多くのノイズが含まれる可能性がある。除外用途リスト６０の最適化によりノイズを可能な限り削除するとしても限界がある。また、有料駐車場でも、工事用車両の駐車スペースとして利用できない場所もある。
【００４５】
そこで、実際に候補地データベース６４を利用した利用者の取得した実調査データ７４を、候補地データベース６４追加する。実調査データ７４には、例えば、図６に示すように、管理者の電話やファックス番号、管理者への問い合わせに使用する住所、借用条件、借用費用、収容可能な台数等との情報を含めるとよい。さらに、収容可能な車種等の情報も含めることが好ましい。
【００４６】
候補地データベース更新手段７２（図２）は、随時、候補地データベース６４に実際の調査で得られた実調査データ７４と実調査時７５とを付加する処理を実行する。また、最適化手段６２は、更新スケジュール１９に示されたスケジュールに従って、自動的に候補地データベース６４を生成するから、候補地データベース更新手段７２は、候補地データベース６４に含まれた候補地データ６６を最適化手段６２が生成した新たな候補地データ６６に置き換える。
【００４７】
各データリストの更新時には、図４に示した最新更新時３４を参照して、現在がそれ以降の日付の場合に更新処理を実行する。指定されたデータベースが前回と相違する場合には、探索データベース４０の表示も更新する。探索済み地域４２を参照して、探索済みでない地域については、無条件でデータの追加をする。これにより、データベースの範囲を広げることができる。
【００４８】
このとき、実調査データ７４と実調査時７５とが勝手に更新されてはならない。そこで、実調査データ７４と前記実調査時７５を書き換えることがないように制御して保護する。各候補地データ６６に含まれた識別記号７３を使用して、現駐車場データとそれ以外のデータと、実調査データ７４が含まれたものとを区別しておくと、自動的にこれらのデータを区別したデータ処理が可能である。
【実施例３】
【００４９】
図７は、候補地データベースの検索処理動作説明図である。
図２に示した検索手段７８は、図７に示すような検索ウインドウ１０１を表示して検索処理を実行する。始めに、地番入力ボックス１０２により建設工事現場の地番２６の入力を受付ける。検索ボタン１０３がクリックされると、地番２６から、予め設定された一定の距離以下の地域を選択し、該当する地域に含まれる地番２６を有する全ての候補地データ６６を抽出する。
【００５０】
検索手段７８は、地図表示ボタン１０４に、例えば、「＊」と表示した識別記号７３を含めて、駐車スペース候補の名称と、電話番号等の管理者情報のリストを検索出力表示１０４として出力する。これにより、建設工事現場から一定の距離の範囲内にある駐車スペース８７の候補地を全て自動的に抽出できる。また、地図表示ボタン１０５をクリックして、該当する駐車スペース候補の地図上の場所を確認できる。検索が終了すると終了ボタン１０６をクリックする。
【実施例４】
【００５１】
図８は、ガイドマップの一例を示す説明図である。
図７の例により、工事現場が決まったときに、その工事現場の近くの駐車スペースを見つけるための処理を説明した。一方、図８では、一般的に駐車スペースを確保しやすい地域と確保し難い地域を図解するガイドマップを出力する方法を説明する。
【００５２】
一般には、建物の建設工事を受注してから駐車スペースを探す。建設工事の受注時には、駐車スペース確保のための概略費用も含めて見積書を発行している。しかしながら、駐車スペースが確保し難い工事現場の場合には、予想以上に資材の搬入費用がかかったり、工期が長期化したりする。受注前に工事現場付近の駐車スペースの有無を簡単に調べておけると、より正確な見積もりができる。
【００５３】
図８の例では、対象地域指定手段８２が例えば、港区１丁目といった区域を指定する。ガイドマップ生成手段８０は、駐車スペース８７の設定可能距離Ｋの指定を受け付けて、候補地データベース６４から、該当する候補地データ６６を抽出する。設定可能距離Ｋは、例えば、１００メートルというように、予め固定値に設定しておくとよい。
【００５４】
ガイドマップ生成手段８０は、対象地域の電子化地図データの上に以下の描画処理を実行する。即ち、抽出された各候補地データ６６の地番２６を１箇所ずつ選択し、該当する箇所を中心に半径Ｋの円８６を描画する。円８６内を所定のパタン８８で塗り潰し、別の塗りつぶし済みの円８６と重なる部分は、さらに濃いパタン８８で塗り潰す。抽出された全ての候補地データ６６について、同様の処理を実行する。これにより、一見して、駐車スペースの確保が容易でない地域を識別できる。
【実施例５】
【００５５】
図９は、データリスト生成処理の動作フローチャートである。
これまで説明した処理を実行するための具体的な手順を以下のフローチャートを使用して説明する。まず、図３で説明した操作画面１２を使用して、ステップＳ１１で探索データベースリスト１７を生成する。ステップＳ１２で、更新スケジュール１９を指定する。ステップＳ１３で、除外用途リスト６０を生成する。これらの処理により、現駐車場データ生成手段１４と空き地データ生成手段４８とデータ判定手段５６が動作を開始する準備ができた。
【００５６】
ステップＳ１４では、各手段が更新スケジュール１９を参照してデータの更新時期かどうかという判断をする。この判断の結果がイエスのときはステップＳ１５の処理に移行し、ノーのときは待機する。ステップＳ１５に進むと、現駐車場データ生成手段１４が現駐車場データリストを生成をする。ステップＳ１６で、空き地データ生成手段４８が空き地データリストを生成する。
【００５７】
続いて、データ判定手段５６が動作を開始する。データ判定手段５６はステップＳ１７以降、空き地データを一個ずつ読む。ステップＳ１８では、読み取った空き地データの地番を使用して、用途を記録したデータベースから用途情報を取得する。ステップＳ１９では、除外用途かどうかという判断をする。該当する地番の用途が学校とか公園であれば、この判断の結果がイエスになる。そのときはステップＳ２０の処理に移行し、空き地データを削除する。
【００５８】
例えば、比較的広い私有地であれば、交渉により駐車スペースとして利用できるかもしれない。そのデータはそのまま保持される。即ち、ノーのときはステップＳ２１の処理に移行する。ステップＳ２１では全データを読んだかどうかという判断をする。この判断の結果がイエスのときは処理を終了する。ノーのときはステップＳ１７に戻り別の空き地データについて同様の処理を実行する。
【００５９】
図１０は空き地データリストの生成処理動作フローチャートである。
ステップＳ３１で、空き地データ生成手段４８は指定された電子化地図データを読む。ステップＳ３２では、図５で説明した要領で空き地検出をする。ステップＳ３３では、その空き地が一定面積以上かどうかという判断をする。この判断の結果がイエスのときはステップＳ３４の処理に移行し、ノーのときはステップＳ３６の処理に移行する。
【００６０】
ステップＳ３４では、空き地の地番を取得する。ステップＳ３５で空き地データを生成する。ステップＳ３６では、電子化地図上で全空き地を検出済みかどうかという判断をする。この判断の結果がイエスのときはステップＳ３７の処理に移行し、ノーのときはステップＳ３２の処理に移行する。ステップＳ３７では、空き地データリストの生成をして記憶装置に記憶する。
【００６１】
図１１は、候補地データベースの生成処理動作フローチャートである。
最適化手段６２は、ステップＳ４１で現駐車場データリスト２０を読む。さらに、ステップＳ４２で空き地データリスト５２を読む。その後、ステップＳ４３で、両データリストの地番を相互に照合して、同一地番のデータを見つける。
【００６２】
同一地番のデータがあったときには、ステップＳ４４で、現駐車場データと空き地データの併合処理をする。両者をまとめて一件のデータにする。ステップＳ４５では、全てのデータ照合処理が終了したかどうかという判断をする。この判断の結果がイエスのときはステップＳ４６の処理に移行し、ノーのときはステップＳ４３の処理に戻る。ステップＳ４６では、データリストに付加する情報を生成する。最後に、ステップＳ４７で、候補地データベース生成処理を完了する。
【００６３】
図１２は、データベース検索処理動作のフローチャートである。
ステップＳ５１では、建設工事現場の地番の入力を受け付ける。ステップＳ５２では、入力された地番から半径で一定の距離以下の地域を選択する。これは、市販の地図データを利用すればよい。ステップＳ５３では、その地域に含まれる地番の候補地データを、候補地データベース６４から抽出する。
【００６４】
ステップＳ５４では、該当する候補地データのリストを出力する。その結果は図７に示した。ステップＳ５５では、候補地を示す地図データを生成する。市販の地図データ上に候補地のマークをすればよい。図７で示した地図表示ボタンの操作により、この地図を表示するとよい。
【００６５】
図１３は、ガイドマップの生成処理動作フローチャートである。
ステップＳ６１では、対象地域の指定を受け付ける。ステップＳ６２では、設定可能距離Ｋを取得する。ステップＳ６３で候補地データベース６４を参照する。ステップＳ６４では、該当する候補地データを抽出する。これにより、対象地域の全ての候補地データの抽出ができる。
【００６６】
ステップＳ６５では、対象地域の電子化地図データを取得する。ステップＳ６６では、抽出をしたいずれかの候補地データの地番を選択する。そして、ステップＳ６７で、その地番を中心に半径Ｋの円を描画する。ステップＳ６８では、その円内を所定のパタンで塗り潰す。ステップＳ６９では、この円が別の塗りつぶし済みの円と重なるかどうかという判断をする。
【００６７】
この判断の結果がイエスのときはステップＳ７０の処理に移行し、ノーのときはステップＳ７１の処理に移行する。ステップＳ７０では、さらに濃いパタンで塗り潰しをする。ステップＳ７１では、全ての候補地データの処理が終了したかどうかという判断をする。この判断の結果がイエスのときは処理を終了する。ノーのときはステップＳ６６の処理に戻る。こうして、図８に示したガイドマップが完成する。
【実施例６】
【００６８】
図１４は候補地データ入力画面の説明図である。
実施例２で説明した実調査データ７４は、候補地データベース６４の利用者が実際に調査をして得た重要な情報で、他のデータと区別して保存される。図１４の画面は、これを候補地データベース６４に追加入力するための操作に使用できる。また、建設工事を依頼する依頼主が、駐車スペースを紹介してくれる場合がある。この情報は、近隣で他の建設工事を行う場合にも有益である。その場合にも、具体的で正確な借り入れ条件等を調査できる。従って、実調査データ７４と同等に扱える。従って、同じ入力画面を使用して入力するようにした。
【００６９】
情報入力用の端末装置に、図１４に示すような候補地データ入力画面１０８が表示されると、担当者は、キー入力欄１１０に、例えば、該当する駐車スペースの地番を入力する。既に候補地データベース６４に一部の情報が自動的に登録されているときは、登録済みの情報が各項目のところに表示される。該当する地番のデータが未登録の場合には、新たな識別情報が生成されて、他の項目は空欄で表示される。各項目の内容は、図４等で説明したとおりである。
【００７０】
登録済みのデータであれば、担当者は実調査データや実調査時の入力をする。未登録のものであれば、担当者は各空欄を埋めるように全てのデータを入力する。現在は未登録のものであっても、近い将来自動的にデータが収集できて定期的に更新できるものもある。その自動処理で上書き消去されては困るデータは、実調査データの欄に入力しておくとよい。
【００７１】
建設工事の依頼主から情報を得た場合には、協力者の項目に、その依頼主を特定する情報を入力する。全てのデータの入力が終了すると、登録ボタン１１４をクリックする。これにより、候補地データ入力手段９６が起動する。候補地データ入力手段９６は、候補地データ入力画面１０８により入力されたデータを候補地データベース６４に登録する。登録が完了したら、終了ボタン１１６をクリックして処理を終了する。
【００７２】
建設工事の依頼主から適切な駐車スペースの情報が得られた場合には、例えば、工事料金や付加サービスに反映させて、謝意を表示することが好ましい。その場合には、建設工事の依頼主（顧客）が協力者であった旨の情報を、顧客のデータを取り扱う部門に転送しなければならない。この実施例では、協力者の情報を顧客データベース９８に転送することにした。
【００７３】
即ち、候補地データ入力画面１０８の登録ボタン１１４がクリックされたときに、候補地データ入力手段１１６は、協力者の欄にデータが入力されているかどうかを判断する。協力者の欄にデータが入力されているときは、候補地データベース６４へのデータ登録と同時に、協力者リスト９８を生成する。協力者リスト９８は、協力者を特定する情報のみでも構わない。協力者リスト９８を記憶装置９２（図２）に記憶させておき、図示しないデータ転送手段により、顧客データベース９８へ転送する。
【００７４】
営業担当者は、建設工事中、様々な手続きのために顧客データベースを参照する。この顧客データベースに、駐車スペース情報収集の協力者であった旨の記録があれば、工事価格に反映させたり、付加サービスを提供する等の処理を確実に実行できる。以上の構成により、依頼主の協力の有無を明確にして、建設工事の依頼主の協力を促進し、候補地データベース６４の早期最適化を図ることが可能になる。
【符号の説明】
【００７５】
１０  データベース生成システム
１１  ネットワーク
１２  操作画面
１３  ウェブサイト
１４  現駐車場データ生成手段
１６  駐車場データベース指定手段
１７  探索データベースリスト
１８  更新タイミング指定手段
１９  更新スケジュール
２０  現駐車場データリスト
２２  識別情報
２４  名称
２６  地番
２８  面積
３０  料金
３２  管理者情報
３４  最新更新時
３８  属性情報
４０  探索データベース
４２  探索済み地域
４４  探索済み期間、
４６  地図データベース
４８  空き地データ生成手段
５０  地図データ指定手段
５１  枠
５２  空き地データリスト
５３  空き地
５４  建物
５５  道路
５６  データ判定手段
５８  用途記録データベース指定手段
６０  除外用途リスト
６１  決定ボタン
６２  最適化手段
６４  候補地データベース
６６  候補地データ
７２  候補地データベース更新手段
７３  識別記号
７４  実調査データ
７５  実調査時
７７  端末装置
７８  検索手段
７９  検索出力
８０  ガイドマップ生成手段
８２  対象地域指定手段
８５  ガイドマップ
８６  円
８７  駐車スペース
８８  パタン
９０  サーバ
９２  記憶装置
９４  演算処理装置
９６  候補地データ入力手段
９８  協力者リスト
１０１  検索ウインドウ
１０２  地番入力ボックス
１０３  検索ボタン
１０４  検索出力表示
１０５  地図表示ボタン
１０６  終了ボタン
１０８  候補地データ入力画面
１１０  キー入力欄
１１２  開始ボタン
１１４  登録ボタン
１１６  終了ボタン
１１８  顧客データベース
【図１】
0005852894.tif 000002
【図２】
0005852894.tif 000003
【図３】
0005852894.tif 000004
【図４】
0005852894.tif 000005
【図５】
0005852894.tif 000006
【図６】
0005852894.tif 000007
【図７】
0005852894.tif 000008
【図８】
0005852894.tif 000009
【図９】
0005852894.tif 000010
【図１０】
0005852894.tif 000011
【図１１】
0005852894.tif 000012
【図１２】
0005852894.tif 000013
【図１３】
0005852894.tif 000014
【図１４】
0005852894.tif 000015